(57)【要約】【課題】低コストで作業性および作業効率の良いシートの定着装置を提供する。【解決手段】開口部巾狭の支持フレーム１内に挿入される側壁２ａ，３ａと水平底部２ｂ，３ｂとを備えた一対のシート押えフレーム２，３を、先端側から基端側向って拡径する螺子４で、当該各シート押えフレーム２，３を支持フレーム１内壁側面１ａ，１ｃに押圧する。【選択図】      図１
2004357617.tif 000002
【特許請求の範囲】
【請求項１】
開口部巾狭の支持フレームと、支持フレーム内にスライド自在に挿入した一対のシート押えフレームと、当該一対のシート押えフレームをそれぞれ支持フレーム内壁に押圧する押圧部材とを備えたシート定着装置において、一対のシート押えフレームが、それぞれ、側壁と水平底部とを備え、一方のシート押えフレームの水平底部の上に他方のシート押えフレームの水平底部を重ねて支持フレーム内に収納されるとともに、押圧部材が先端側から基端側に向って拡径する螺子であって、当該押圧部材を上記一対のシート押えフレームの側壁間に螺着することによって、当該一対のシート押えフレームをそれぞれ支持フレーム内壁側面に押圧することを特徴とするシートの定着装置。
【請求項２】
押圧部材の先端で、他方のシート押えフレームの水平底部を押圧して一対のシート押えフレームを支持フレームの内壁底部に押圧することを特徴とする請求項１に記載のシートの定着装置。
【請求項３】
押圧部材の基端部を当該各ガイドフレームの側壁の上端に当接させたことを特徴とする請求項１または２に記載のシートの定着装置。
【請求項４】
各シート押えフレームに側壁から延設される水平なガイドフレームを設け、押圧部材の基端部を当該各ガイドフレームの上面に当接させたことを特徴とする請求項１または２に記載のシートの定着装置。
【発明の詳細な説明】
【０００１】
【発明の属する技術分野】
本発明は、植物を育成する温室たるパイプハウスに展張したシートの定着装置の改良に関する。
【０００２】
【従来の技術】
一般に植物を育成する温室にあっては、たとえば、アーチ状パイプに透明または半透明な合成樹脂シートを屋根面、側面または妻面に展張する必要がある。
【０００３】
そして、上記シートの温室への固定に際しては、開口部巾狭の支持フレームと、支持フレーム内にスライド自在に挿入した第１、第２のシート押えフレームと、当該第１および第２のシート押えフレームを支持フレーム内壁に押圧する押圧部材とを備えたシート定着装置の提案がなされている。
【０００４】
また、このシート定着装置にあっては、特に、押圧部材を弾性な波形の係止線条としている（たとえば、特許文献１参照）。
【０００５】
【特許文献１】
実用新案登録第３０６７４７６号公報（実用新案登録請求の範囲，図１）
【０００６】
【発明が解決しようとする課題】
上記従来のシート定着装置は、シートを強固に固定できる点で非常に優れている。しかしながら、以下の弊害があると指摘される可能性がある。
【０００７】
すなわち、実際の温室は奥行きが長い場合があり、それに応じてシートを固定に使用される支持フレームも温室の奥行き長さとなるが、それと同様に係止線条も同様の長さとなる。すると、係止線条が長くなるので、それに伴いコストが増大してしまうこととなる。
【０００８】
また、係止線条を第１のシート押えフレームと第２のシート押えフレームとの間に嵌合させる際には、係止線条の弾性に抗して強制的に変形せしめて嵌合させるが、係止線条が長い場合には、作業に時間がかかり、作業者の負担が大きく、また作業者は係止線条の長さ分だけ係止線条の弾性に抗して強制的に変形せしめていく必要があるので作業中に手を傷めてしまう場合がある。
【０００９】
そこで、本発明の目的は、低コストで作業性および作業効率の良いシートの定着装置を提供することである。
【００１０】
【課題を解決するための手段】
本発明の第１の課題解決手段におけるシートの定着装置は、開口部巾狭の支持フレームと、支持フレーム内にスライド自在に挿入した一対のシート押えフレームと、当該一対のシート押えフレームをそれぞれ支持フレーム内壁に押圧する押圧部材とを備えたシート定着装置において、一対のシート押えフレームが、それぞれ、側壁と水平底部とを備え、一方のシート押えフレームの水平底部の上に他方のシート押えフレームの水平底部を重ねて支持フレーム内に収納されるとともに、押圧部材が先端側から基端側に向って拡径する螺子であって、当該押圧部材を上記一対のシート押えフレームの側壁間に螺着することによって、当該一対のシート押えフレームをそれぞれ支持フレーム内壁側面に押圧することを特徴とする。
【００１１】
上記の課題解決手段によれば、押圧部材が各シート押えフレームを支持フレームの内壁に押圧するので、シートを、支持フレームの内壁と、各シート押えフレームとで挟持されることとなり、支持フレームに定着することができる。
【００１２】
そして、これら押圧部材は、各シート押えフレームとの間に連続して設ける必要は無く、点在させればよいので係止線条を利用した従来のシートの定着装置に比較して、コストが低減する。
【００１３】
また、支持フレーム全体に渡り係止線条の弾性に抗して強制的に変形せしめて嵌合させる必要が無く、押圧部材も第１のシート押えフレームと第２のシート押えフレームとの間に点在させればよいので、従来のシートの定着装置に比較して、作業時間も短縮でき、作業者の負担も少なくなる。さらに、従来のシートの定着装置では、作業者が係止線条の長さ分だけ係止線条の弾性に抗して強制的に変形せしめていく必要があるが、押圧部材を第１のシート押えフレームと第２のシート押えフレームとの間に螺着、もしくは挿入し押圧する、もしくは嵌合する、もしくは押圧部材に螺子を螺着するだけでよいので、作業中に手を傷めてしまうことも防止される。
【００１４】
本発明の第２の課題解決手段におけるシートの定着装置は、第１の課題解決手段において、押圧部材の先端で、他方のシート押えフレームの水平底部を押圧して一対のシート押えフレームを支持フレームの内壁底部に押圧することを特徴とする。
【００１５】
この場合には、従来のシート定着装置に比較して、押圧部材の先端で各シート押えフレームの水平底部を支持フレームの内壁底部に向けて押圧するので、シートが側壁と内壁側面との間だけでなく水平底部と支持フレームの内壁底部とでも挟持され、シートをより強固に支持フレームに定着させることができる。
【００１６】
さらに、押圧部材の先端が他方のシート押えフレームの水平底部の上面に当接して各シート押えフレームを支持フレームの内壁底部に向けて押圧するので、シートをシートの定着装置に固定した状態において、シートに風等に起因する引張力が負荷されて各シート押えフレームが傾いて支持フレームから脱落することが防止される。
【００１７】
本発明の第３の課題解決手段におけるシートの定着装置は、第１または第２の課題解決手段において、押圧部材の基端部を当該各ガイドフレームの側壁の上端に当接させたことを特徴とする。
【００１８】
この場合には、従来のシート定着装置に比較して、押圧部材の基端部を各シート押えフレームの側壁の上端に当接したのでシートへの引張力の負荷時における各シート押えフレームの傾きを抑制でき、各シート押えフレームが支持フレームから脱落することを防止することが可能となる。したがって、従来のシート定着装置に比較して、シートを強固にシート定着装置に固定することが可能となる。
【００１９】
本発明の第４の課題解決手段におけるシートの定着装置は、第１または第２の課題解決手段において、各シート押えフレームに側壁から延設される水平なガイドフレームを設け、押圧部材の基端部を当該各ガイドフレームの上面に当接させたことを特徴とする。
【００２０】
この場合には、各シート押えフレームのガイドフレームの上面には、押圧部材の基端部が当接するから、シートへの引張力の負荷時における各シート押えフレームの傾きを抑制でき、各シート押えフレームが支持フレームから脱落することを防止することが可能となる。したがって、従来のシート定着装置に比較して、シートを強固にシート定着装置に固定することが可能となる。
【００２１】
また、ガイドフレームを設けたので基端部にシートが直接干渉することを防止できるから、シートが風等で暴れたときにシートを傷つけてしまうことがない。
【００２２】
【発明の実施の形態】
以下、本発明の実施の形態を、図１から図２に基づいて説明する。本発明の実施の形態は、図１に示すように、開口部巾狭の支持フレーム１と、一対のシート押えフレーム２，３と、押圧部材たる螺子４とで構成される。
【００２３】
以下、詳細に説明すると、支持フレーム１は、鳩尾状の溝を備え、上端は内側に向けて折り曲げられた断面略蟻溝状のフレームであり、上記溝内に、各シート押えフレーム２，３がスライド自在に挿入される。
【００２４】
一方のシート押えフレーム２は、水平底部２ｂと、水平底部２ｂから内側に傾斜して立ち上る側壁２ａと、側壁２ａから延設されるカール部２ｃと、カール部２ｃに連設する水平なガイドフレーム２ｄとで構成されている。
【００２５】
他方のシート押えフレーム３は、水平底部３ｂと、水平底部３ｂから内側に傾斜して立ち上る側壁３ａと、側壁３ａから延設されるカール部３ｃと、カール部３ｃに連設する水平なガイドフレーム３ｄとで構成されている。
【００２６】
そして、一方のシート押えフレーム２の水平底部２ｂの図１中上に他方のシート押えフレーム３の水平底部３ｂを重ねておくことにより、一対のシート押えフレーム２，３を重ねた状態における横幅が支持フレーム１の開口部および底部の横幅寸法より小さくされて、支持フレーム１内にスライド自在に挿入することができる。
【００２７】
そして、押圧部材たる螺子４は、図１に示すように、六角形状の基端部たる頭４ａと、螺子部４ｂとで構成され、螺子部４ｂは、その先端側が先細りになるように形成されている。すなわち、先端側より基端側に向けて拡径するように形成されている。また、基端部たる頭４ａの水平方向の幅は、この螺子４が各シート押えフレームの間に螺着された際に、各ガイドフレーム２ｄ、３ｄの上端面に当接することができる程度に充分な長さに設定されている。
【００２８】
さて、シートＳを定着するには、図１に示すように、まずシートＳを支持フレーム１上に被せ、そして、そのシートＳの上から、一対のシート押えフレーム２，３を、上述のように一方のシート押えフレーム２の水平底部２ｂの上に他方のシート押えフレーム３の水平底部３ｂを重ねて支持フレーム１内に挿入する。
【００２９】
つぎに、上記各シート押えフレーム２，３との間に、基端部たる頭４ａをスパナで把持しながら回転させて螺子４を螺着する。すると、螺子４は先端側から基端側に向って徐々に拡径しているので、螺子４を徐々に捩じ込んでいくと、しだいに各シート押えフレーム２，３が図１中水平にスライドし、各シート押えフレーム２，３との間隔が開いていくので、当該一対のシート押えフレーム２，３を支持フレーム内壁側面１ａ，１ｃに向って押圧することができる。さらに、図２に示すように、螺子４が一対のシート押えフレーム２，３内にねじ込まれると最終的には、螺子４の先端は、他方のシート押えフレーム３の水平底部３ｂの図２中上面に当接することとなり、これにより、一対のシート押えフレーム２，３を支持フレーム１の内壁底部１ｂに向けて押圧することができる。そうすることで、シートＳは、支持フレーム１の内壁側面１ａ，１ｃと、内壁底部１ｂと、各シート押えフレーム２，３とで挟持されることとなり、支持フレーム１に定着される。
【００３０】
また、螺子４の先端が他方のシート押えフレーム３の水平底部３ｂの図２中上面に当接して各シート押えフレーム２，３を支持フレーム１の内壁底部１ｂに向けて押圧するので、シートＳをシートの定着装置に固定した状態において、シートＳに風等に起因する引張力が負荷されて各シート押えフレーム２，３が傾いて支持フレーム１から脱落することが防止され、さらに、本実施の形態では、各シート押えフレーム２，３のガイドフレーム２ｄ，３ｄの図２中上面には、螺子４の基端部たる頭４ａが当接するから、シートＳへの引張力の負荷時における各シート押えフレーム２，３の傾きをより一層抑制でき、各シート押えフレーム２，３が支持フレーム１から脱落することをより一層防止することが可能となる。なお、ガイドフレーム２ｄ、３ｄを設けない場合にも、基端部たる頭４ａを各シート押えフレーム２，３の側壁２ａ，３ａの上端に当接させて各シート押えフレーム２，３の傾きを阻止できるが、ガイドフレーム２ｄ、３ｄを設ける方が基端部たる頭４ａにシートＳが直接干渉することを防止できるから、シートＳが風等で暴れたときにシートＳを傷つけてしまうことがない。
【００３１】
したがって、従来のシート定着装置に比較して、シートＳを強固にシート定着装置に固定することが可能となる。
【００３２】
このとき、押圧部材たる螺子４は、各シート押えフレーム２，３との間に連続して設ける必要は無く、点在させればよいので係止線条を利用した従来のシートの定着装置に比較して、コストが低減する。
【００３３】
また、支持フレーム１全体に渡り係止線条の弾性に抗して強制的に変形せしめて嵌合させる必要が無く、押圧部材たる螺子４も一対のシート押えフレーム２，３の間に点在させればよいので、従来のシートの定着装置に比較して、作業時間も短縮でき、作業者の負担も少なくなる。さらに、従来のシートの定着装置では、作業者が係止線条の長さ分だけ係止線条の弾性に抗して強制的に変形せしめていく必要があるが、押圧部材が螺子４であるので、作業中に手を傷めてしまうことも防止される。
【００３４】
また、従来のシート定着装置に比較して、押圧部材の先端で各シート押えフレーム２，３の水平底部２ｂ，３ｂを支持フレーム１の内壁底部１ｂに向けて押圧するので、シートＳが側壁２ａ，３ａと内壁側面１ａ，１ｃとの間だけでなく水平底部２ｂと支持フレーム１の内壁底部１ｂとでも挟持され、シートＳをより強固に支持フレーム１に定着させることができる。
【００３５】
なお、一方のシート押えフレームの水平底部にガイド溝を設けて、このガイド溝に他方のシート押えフレームの水平底部を挿入する従来のシート定着装置に押圧部材を螺着するとした場合には、押圧部材の先端が水平底部を押圧することから、ガイド溝が変形して他方のシート押えフレームの水平底部が一方のシート押えフレームのガイド溝内に嵌着されてしまい、抜けなくなってしまうという心配があるが、本発明のシート定着装置にあっては、上記心配がない。
【００３６】
なお、螺子４の基端部たる頭を六角形状とする以外に、螺旋回しで一対のシート押えフレーム２，３間に螺着できるように、螺旋回し挿入用の一字穴や十字穴や六角レンチが挿入できるように六角穴を設けるとしてもよく、また、基端部たる頭４ａに六角形の突起を設けるとしてもよい。いずれにしても、螺子４を公知の工具を使用して回転させることができるようにすればよい。
【００３７】
【発明の効果】
各請求項の発明によれば、押圧部材が各シート押えフレームを支持フレームの内壁に押圧するので、シートを、支持フレームの内壁と、各シート押えフレームとで挟持されることとなり、支持フレームに定着することができる。
【００３８】
そして、これら押圧部材は、各シート押えフレームとの間に連続して設ける必要は無く、点在させればよいので係止線条を利用した従来のシートの定着装置に比較して、コストが低減する。
【００３９】
また、支持フレーム全体に渡り係止線条の弾性に抗して強制的に変形せしめて嵌合させる必要が無く、押圧部材も一対のシート押えフレーム間に点在させればよいので、従来のシートの定着装置に比較して、作業時間も短縮でき、作業者の負担も少なくなる。さらに、従来のシートの定着装置では、作業者が係止線条の長さ分だけ係止線条の弾性に抗して強制的に変形せしめていく必要があるが、押圧部材を一対のシート押えフレーム間に螺着、もしくは挿入し押圧する、もしくは嵌合する、もしくは押圧部材に螺子を螺着するだけでよいので、作業中に手を傷めてしまうことも防止される。
【００４０】
請求項２の発明によれば、従来のシート定着装置に比較して、押圧部材の先端で各シート押えフレームの水平底部を支持フレームの内壁底部に向けて押圧するので、シートが側壁と内壁側面との間だけでなく水平底部と支持フレームの内壁底部とでも挟持され、シートをより強固に支持フレームに定着させることができる。
【００４１】
さらに、押圧部材の先端が他方のシート押えフレームの水平底部の上面に当接して各シート押えフレームを支持フレームの内壁底部に向けて押圧するので、シートをシートの定着装置に固定した状態において、シートに風等に起因する引張力が負荷されて各シート押えフレームが傾いて支持フレームから脱落することが防止される。
【００４２】
請求項３の発明によれば、各シート押えフレームの側壁の上端には、押圧部材の基端部が当接するから、シートへの引張力の負荷時における各シート押えフレームの傾きを抑制でき、各シート押えフレームが支持フレームから脱落することを防止することが可能となる。したがって、従来のシート定着装置に比較して、シートを強固にシート定着装置に固定することが可能となる。
【００４３】
請求項４の発明によれば、この場合には、各シート押えフレームのガイドフレームの上面には、押圧部材の基端部が当接するから、シートへの引張力の負荷時における各シート押えフレームの傾きを抑制でき、各シート押えフレームが支持フレームから脱落することを防止することが可能となる。したがって、従来のシート定着装置に比較して、シートを強固にシート定着装置に固定することが可能となる。
【００４４】
また、ガイドフレームを設けたので基端部にシートが直接干渉することを防止できるから、シートが風等で暴れたときにシートを傷つけてしまうことがない。
【図面の簡単な説明】
【図１】一実施の形態におけるシートの定着装置の斜視図である。
【図２】一実施の形態におけるシート定着装置にシートを定着した状態を示す断面図である。
【符号の説明】
１    支持フレーム
１ａ，１ｃ  内壁側面
１ｂ  内壁底部
２    一方のシート押えフレーム
２ａ，３ａ  側壁
２ｂ，３ｂ  水平底部
２ｃ，３ｃ  カール部
２ｄ，３ｄ  ガイドフレーム
３    他方のシート押えフレーム
４    押圧部材たる螺子
４ａ  基端部たる頭
Ｓ    シート
【図１】
2004357617.tif 000003
【図２】
2004357617.tif 000004